(57)【要約】【課題】前後方向に延びる折り線によって折り畳まれた吸収体を有する吸収性物品において、漏れの発生を抑制する。【解決手段】使い捨ておむつ１０は、一対の第１折り線ＦＬ１及び一対の第２折り線ＦＬ２を有する吸収体４０と、バックシート６０ａと、を備える。吸収体は、一対の第１折り線の間に位置する第１領域４０１と、第１領域の肌対向面側に配置される一対の第２領域４０２と、第２領域の肌対向面側に配置される一対の第３領域４０３と、を有する。第１領域と第２領域とが接合された第１接合部Ｒ１と、第３領域と非肌面シートが接合された第３接合部Ｒ３と、第３接合部よりも幅方向の内側かつ第１折り線よりも幅方向の外側に位置し、第３領域と非肌面シートが接合されていない第３非接合部ＮＲ３と、が設けられている。第３非接合部は、使い捨ておむつ１０の前後方向の中心１ＬＣを跨ぎ、かつ股下域において前後方向に延びる。【選択図】図２
2017164353.tif 000002
【特許請求の範囲】
【請求項１】
前後方向と、
前記前後方向と直交する幅方向と、
前胴回り域、後胴回り域、及び前記前胴回り域と前記後胴回り域との間に位置する股下域と、
前記前後方向に延び、かつ吸収体を折り畳むための一対の第１折り線及び一対の第２折り線を有する吸収体と、
前記吸収体の非肌対向面側に位置する非肌面シートと、を備える吸収性物品であって、
前記吸収体は、前記吸収体が折り畳まれた折り畳み状態において、
前記一対の第１折り線の間に位置し、前記吸収体の前記幅方向の中央を含む第１領域と、
前記第１折り線よりも前記幅方向の内側に位置する前記第２折り線と前記第１折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記第３領域の外側縁は、前記第１折り線よりも前記幅方向の外側に配置されおり、
前記折り畳み状態において、
前記第１領域の肌対向面と前記第２領域の非肌対向面とが接合された第１接合部と、
前記第３領域と前記非肌面シートが接合された第３接合部と、
前記第３接合部よりも前記幅方向の内側かつ前記第１折り線よりも前記幅方向の外側に位置し、前記第３領域と前記非肌面シートが接合されていない第３非接合部と、が設けられており、
前記第３非接合部は、前記吸収性物品の前記前後方向の中心を跨ぎ、かつ前記股下域において前記前後方向に延びる、吸収性物品。
【請求項２】
前記吸収性物品が着用された着用状態で、前記第２領域の肌対向面と前記第３領域の非肌対向面とが接合されていない第２非接合部を備える、請求項１に記載の吸収性物品。
【請求項３】
前記前後方向に伸縮する弾性部材を有し、かつ前記吸収性物品の幅方向の中心よりも前記幅方向の両外側に配置される一対の立体ギャザーを備え、
前記第３接合部は、前記弾性部材の内側縁に重なる領域に配置される、請求項１又は請求項２に記載の吸収性物品。
【請求項４】
前記第３非接合部よりも前記前後方向の両外側には、前記第３領域と前記非肌面シートが接合された第４接合部が設けられている、請求項１から請求項３のいずれかに記載の吸収性物品。
【請求項５】
前記第３非接合部よりも前側に位置する前記第４接合部の前記前後方向の長さは、前記第３非接合部よりも後側に位置する前記第４接合部の前記前後方向の長さよりも長い、請求項４に記載の吸収性物品。
【請求項６】
前記第３非接合部の後端縁と前記吸収性物品の前記前後方向の中心との距離は、前記第３非接合部の前端縁と前記吸収性物品の前記前後方向の中心との距離よりも長い、請求項１から請求項５のいずれかに記載の吸収性物品。
【請求項７】
前記第１領域の外側縁から前記幅方向の内側に向かう領域において、前記第１領域と前記非肌面シートは、接合されていない、請求項１から請求項６のいずれかに記載の吸収性物品。
【請求項８】
前記一対の第２折り線は、前記幅方向において離間している、請求項１から請求項７のいずれかに記載の吸収性物品。
【発明の詳細な説明】
【技術分野】
【０００１】
本発明は、前後方向に延びる折り線によって折り畳まれた吸収体を有する吸収性物品に関する。
【背景技術】
【０００２】
前後方向に延びる折り線によって折り畳まれた吸収体を有する使い捨ておむつが提供されている。特許文献１の吸収体は、前後方向に延びる第１線に沿って幅方向の内側に折り返され、当該折り返された領域は、第２折り線に沿って幅方向の外側に折り返されている（例えば、特許文献１の図１２から図１４参照）。
【先行技術文献】
【特許文献】
【０００３】
【特許文献１】特表２００５−５１７４６１号公報
【発明の概要】
【発明が解決しようとする課題】
【０００４】
このような吸収性物品が着用されると、着用者の両脚によって吸収性物品が挟まれ、吸収体に幅方向の外側から幅方向の内側に向かう力がかかる。幅方向の内側に向かう力が吸収体にかかると、第１折り線及び第２折り線による折り構造が維持されないことがあった。吸収体の折り構造が維持されないと、吸収体によって排泄物を円滑に引き込むことができず、排泄物の漏れが発生するおそれがあった。また、幅方向の内側に向かう力が吸収体にかかると、意図しない態様で吸収体が折れたり変形したりして、着用者に対して適切な位置に吸収体が配置されず、排泄物の漏れが発生するおそれがあった。
【０００５】
本開示は、上述の課題に鑑みてなされたものであり、前後方向に延びる折り線によって折り畳まれた吸収体を有する吸収性物品において、排泄物の漏れの発生を抑制することを目的とする。
【課題を解決するための手段】
【０００６】
本開示に係る吸収性物品（使い捨ておむつ１０）は、前後方向（前後方向Ｌ）と、前記前後方向と直交する幅方向（幅方向Ｗ）と、前胴回り域（前胴回り域２０）、後胴回り域（後胴回り域３０）、及び前記前胴回り域と前記後胴回り域との間に位置する股下域（股下域２５）と、前記前後方向に延び、かつ吸収体を折り畳むための一対の第１折り線（第１折り線ＦＬ１）及び一対の第２折り線（第２折り線ＦＬ２）を有する吸収体（吸収体４０）と、前記吸収体の非肌対向面側に位置する非肌面シート（バックシート６０ａ）と、を備える吸収性物品であって、前記吸収体は、前記吸収体が折り畳まれた折り畳み状態において、前記一対の第１折り線の間に位置し、前記吸収体の幅方向の中央を含む第１領域（第１領域４０１）と、前記第１折り線よりも前記幅方向の内側に位置する前記第２折り線と前記第１折り線との間に位置し、前記第１領域の肌対向面側にそれぞれ配置される一対の第２領域（第２領域４０２）と、前記第２折り線よりも幅方向の外側に位置し、前記第２領域の肌対向面側にそれぞれ配置される一対の第３領域（第３領域４０３）と、を有し、前記第３領域の外側縁は、前記第１折り線よりも前記幅方向の外側に配置されおり、前記折り畳み状態において、前記第１領域の肌対向面と前記第２領域の非肌対向面とが接合された第１接合部（第１接合部Ｒ１）と、前記第３領域と前記非肌面シートが接合された第３接合部（第３接合部Ｒ３）と、前記第３接合部よりも前記幅方向の内側かつ前記第１折り線よりも前記幅方向の外側に位置し、前記第３領域と前記非肌面シートが接合されていない第３非接合部（第３非接合部ＮＲ３）と、が設けられており、前記第３非接合部は、前記吸収性物品の前記前後方向の中心（使い捨ておむつ１０の前後方向の中心１ＬＣ）を跨ぎ、かつ前記股下域において前記前後方向に延びることを要旨とする。
【発明の効果】
【０００７】
本開示によれば、前後方向に延びる折り線によって折り畳まれた吸収体を有する吸収性物品において、漏れの発生を抑制することができる。
【図面の簡単な説明】
【０００８】
【図１】一実施形態における使い捨ておむつの平面図である。
【図２】図１に示したＡ−Ａ線に沿った使い捨ておむつの断面図である。
【図３】図１に示したＢ−Ｂ線に沿った使い捨ておむつの断面図である。
【図４】一実施形態における使い捨ておむつの平面図である。
【図５】展開状態の吸収体の平面図である。
【図６】図５のＣ−Ｃ線に沿った吸収体の断面図である。
【図７】一実施形態における使い捨ておむつの着用状態を模式的に示した断面図である。
【図８】変形例における使い捨ておむつの着用状態を模式的に示した断面図である。
【発明を実施するための形態】
【０００９】
本明細書及び添付図面の記載により、少なくとも以下の事項が明らかとなる。
前後方向と、
前記前後方向と直交する幅方向と、
前胴回り域、後胴回り域、及び前記前胴回り域と前記後胴回り域との間に位置する股下域と、
前記前後方向に延び、かつ吸収体を折り畳むための一対の第１折り線及び一対の第２折り線を有する吸収体と、
前記吸収体の非肌対向面側に位置する非肌面シートと、を備える吸収性物品であって、
前記吸収体は、前記吸収体が折り畳まれた折り畳み状態において、
前記一対の第１折り線の間に位置し、前記吸収体の前記幅方向の中央を含む第１領域と、
前記第１折り線よりも前記幅方向の内側に位置する前記第２折り線と前記第１折り線との間に位置し、前記第１領域の肌対向面側にそれぞれ配置される一対の第２領域と、
前記第２折り線よりも前記幅方向の外側において前記第２領域の肌対向面側にそれぞれ配置される一対の第３領域と、を有し、
前記第３領域の外側縁は、前記第１折り線よりも前記幅方向の外側に配置されおり、
前記折り畳み状態において、
前記第１領域の肌対向面と前記第２領域の非肌対向面とが接合された第１接合部と、
前記第３領域と前記非肌面シートが接合された第３接合部と、
前記第３接合部よりも前記幅方向の内側かつ前記第１折り線よりも前記幅方向の外側に位置し、前記第３領域と前記非肌面シートが接合されていない第３非接合部と、が設けられており、
前記第３非接合部は、前記吸収性物品の前記前後方向の中心を跨ぎ、かつ前記股下域において前記前後方向に延びる、吸収性物品。
【００１０】
吸収性物品は、着用者に装着されると、着用者の両足によって挟まれる。吸収性物品には、幅方向の外側から幅方向の内側に向かう力がかかる。第３領域の外側縁が第１折り線よりも幅方向の外側に位置するため、幅方向の外側から幅方向の内側に向かう力は、第３領域の外側縁にかかる。第３領域は、変形することによって幅方向の外側から幅方向の内側に向かう力を吸収する。よって、第１領域が当該力によって変形することを防ぐことができる。また、第１領域と第２領域が接合されているため、第１折り線による折り構造が維持され易い。よって、第１領域の意図しない変形及び吸収体全体が幅入りすることを防ぐことができ、着用者の股下に対して一定の幅で吸収体を配置できる。一定の幅を有する吸収体によって排泄物を吸収でき、排泄物の漏れを抑制できる。
【００１１】
また、第３領域と非肌面シートは、第３接合部によって接合され、かつ第３非接合部によって接合されていない。そのため、幅方向の外側から幅方向の内側に向かう力がかかった際に、第３接合部を基点に第３接合部よりも幅方向の内側の領域が着用者側に盛り上がるように変形する。これにより、第２非接合部、第３非接合部、及び第３接合部によって、第３領域、非肌面シート、及び第１領域によって囲まれた空間を少なくとも股下域に設けることができる。当該空間によって尿を収容できる。また、当該空間によって前後方向に尿を拡散でき、吸収体の前後方向の全体で体液を保持できる。そのため、長時間使用された場合であっても、吸収体全体で体液を吸収し、体液の漏れを抑制できる。加えて、当該空間によって前後方向に湿気を拡散でき、蒸れを抑制し、装着感を向上できる。
【００１２】
かかる吸収性物品であって、
前記吸収性物品が着用された着用状態で、前記第２領域の肌対向面と前記第３領域の非肌対向面とが接合されていない第２非接合部を備えることが望ましい。
【００１３】
このような吸収性物品によれば、着用状態で第２領域の肌対向面と第３領域の非肌対向面とが接合されていないため、幅方向の外側から幅方向の内側に向かう力がかかった際に、第１領域と接合された第２領域を基点にして左右の第３領域が着用者側に盛り上がるように変形し、第３領域の非肌対向面側に空間が形成される。当該空間によって排泄物を保持し、排泄物の漏れを抑制できる。
【００１４】
かかる吸収性物品であって、
前記前後方向に伸縮する弾性部材を有し、かつ前記使い捨ておむつの幅方向の中心よりも前記幅方向の両外側に配置される一対の立体ギャザーを備え、
前記第３接合部は、前記弾性部材の内側縁に重なる領域に配置されることが望ましい。
【００１５】
このような吸収性物品によれば、立体ギャザーの弾性部材の内側縁は、弾性部材の伸縮によって収縮し、着用者側に起立する。弾性部材の内側縁に重なる領域の吸収体は、第３接合部によって非肌面シートに接合され、変形し難い。よって、立体ギャザーが収縮する際に吸収体の形状が維持され易く、立体ギャザーが吸収体から着用者側に立ち上がり易くなる。よって、立体ギャザーと吸収体との間に排泄物を収容する空間を広く設けることができ、排泄物の漏れを抑制できる。吸収体の折り構造を維持しつつ、排泄物の漏れを効果的に抑制できる。
【００１６】
かかる吸収性物品であって、
前記第３非接合部よりも前記前後方向の両外側には、前記第３領域と前記非肌面シートが接合された第４接合部が設けられていることが望ましい。
【００１７】
このような吸収性物品によれば、第３非接合部よりも前後方向の両外側において第３領域と非肌面シートが接合されているため、第３領域と非肌面シートとの間の空間によって体液を前後方向の全体に拡散しても、当該空間内の体液が吸収体よりも前後方向の外側に漏れ難い。よって、吸収体の前後方向の全域で体液を吸収しつつ、排泄物の漏れを抑制できる。
【００１８】
かかる吸収性物品であって、
前記第３非接合部よりも前側に位置する前記第４接合部の前記前後方向の長さは、前記第３非接合部よりも後側に位置する前記第４接合部の前記前後方向の長さよりも長いことが望ましい。
【００１９】
一般的に、尿は、吸収性物品の前後方向の中心よりも前側に排泄される。そのため、吸収性物品の前後方向の中心よりも前側における第３非接合部内に尿が溜まり易い。吸収性物品の前後方向の中心よりも前側に位置する第４接合部の前後方向の長さが比較的長いため、前側に位置する第３非接合部で体液を保持しつつ、第３非接合部内の尿が吸収体の前端縁から漏れることを抑制できる。
【００２０】
かかる吸収性物品であって、
前記第３非接合部の後端縁と前記吸収性物品の前記前後方向の中心との距離は、前記第３非接合部の前端縁と前記吸収性物品の前記前後方向の中心との距離よりも長いことが望ましい。
【００２１】
このような吸収性物品によれば、吸収性物品の前後方向の中心よりも後側において第３非接合部の長さが比較的長いため、第３非接合部を介して前側に排泄された尿を後側に体液を拡散することができる。よって、吸収体の前後方向の全域にわたって排泄物を吸収でき、吸収容量を有効活用し、漏れを抑制できる。
【００２２】
かかる吸収性物品であって、
前記第１領域の外側縁から前記幅方向の内側に向かう領域において、前記第１領域と前記非肌面シートは、接合されてなくてよい。
【００２３】
このような吸収性物品によれば、幅方向の外側から幅方向の内側に向かう力がかかり、左右の第３領域が着用者側に盛り上がるように変形する際に、第１領域の外側縁も着用者側に盛り上がるように変形し易くなる。よって、第３領域、非肌面シート、及び第２領域によって囲まれた空間をより広く形成できる。
【００２４】
かかる吸収性物品であって、
前記一対の第２折り線は、前記幅方向において離間していることが望ましい。
【００２５】
このような吸収性物品によれば、吸収体の一対の第２折り線間には、第１領域のみが配置され、一対の第２折り線よりも幅方向の外側には、第１領域、第２領域及び第３領域が配置される。そのため、吸収体の一対の第２折り線間は、吸収体の厚みが比較的薄く、一対の第２折り線よりも幅方向の外側の領域と比較して非肌対向面側に凹む。吸収体の幅方向中央が非肌対向面側に凹んでいるため、着用者と吸収体の間に前後方向に延びる空間を形成できる。当該空間によって体液を前後方向に拡散することができ、吸収体の前後方向の全域にわたって吸収性能を有効活用し易くなる。
【００２６】
また、幅方向の外側から幅方向の内側に向かう力がかかった際に第３領域が着用者側に盛り上がるように変形すると、一対の第２折り線間の空間を挟んで両側には、第３領域による壁を比較的高く設けることができる。よって、体液の横漏れを抑制し、排泄物の漏れをより抑制できる。
【００２７】
＝＝＝本実施の形態に係る吸収性物品について＝＝＝
次に、本発明に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００２８】
（１）使い捨ておむつの全体概略構成
図１は、本実施形態に係る使い捨ておむつ１０の展開状態の平面図である。図２は、図１に示したＡ−Ａ線に沿った使い捨ておむつ１０の断面図である。図３は、図１に示したＢ−Ｂ線に沿った使い捨ておむつの断面図である。図４は、図１に示す使い捨ておむつの展開状態の平面図である。図５は、展開状態の吸収体の平面図である。図６は、図５に示すＣ−Ｃ線に沿った吸収体の断面図である。図１及び図４に示す平面図は、使い捨ておむつを構成するトップシート５０及びサイドシート７０等の皺が形成されない状態まで、レッグ伸縮部７５及び立体ギャザーの弾性部材７７を伸長させた状態の図である。
【００２９】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。
【００３０】
なお、本実施形態では、前胴回り域２０から後胴回り域３０に向かう方向を前後方向Ｌと呼び、前後方向Ｌと直交する方向を幅方向Ｗと呼び、着用者の肌対向面側Ｔ１と、肌対向面側Ｔ１と反対側であり、着用者の非肌対向面側Ｔ２と、を含む方向を厚み方向Ｔと呼ぶ。
【００３１】
使い捨ておむつ１０は、吸収体４０と、吸収体４０の肌対向面側Ｔ１に配置される肌面シートと、吸収体４０の非肌対向面側Ｔ２に位置する非肌面シートと、を少なくとも有する。吸収体４０は、少なくとも股下域２５に配置される。図６に示すように、吸収体４０は、吸収コア４０ａと、コアラップ４０ｂと、を有する。吸収コア４０ａは、従来の使い捨ておむつと同様の材料によって構成でき、粉砕パルプや高吸収ポリマー（ＳＡＰ）などの吸収材料を含んでおり、公知の部材や材料を用いて適宜構成することができる。
【００３２】
コアラップ４０ｂは、吸収材料である吸収コア４０ａを覆うシートである。コアラップ４０ｂは、透液性を有する各種の繊維不織布もしくはティッシュによって構成される。吸収体４０については、後述にて詳細に説明する。
【００３３】
肌面シートは、トップシート５０と、サイドシート７０と、を有する。トップシート５０は、不織布や織物などの液透過性のシートによって形成される。トップシート５０は、着用者の肌に当接するシートである。
【００３４】
サイドシート７０は、トップシート５０の外側縁を覆い、トップシート５０よりも幅方向外側に延出する。サイドシート７０の内側縁は、幅方向外側に折り返されており、２層のサイドシート７０間に前後方向に伸縮する弾性部材７７が配置される。サイドシート７０と弾性部材７７とは、立体ギャザーを構成する。立体ギャザーは、前後方向に伸縮する弾性部材７７を有し、かつ使い捨ておむつの幅方向の中心よりも幅方向の両外側に一対で配置される。
【００３５】
非肌面シートは、少なくともバックシート６０ａと外装シート６０を有する。バックシート６０ａは、液不透過性を有し、吸収コア４０ａ及びコアラップ４０ｂの非肌対向面側Ｔ２に配置される。外装シート６０は、バックシート６０ａの非肌対向面側Ｔ２に配置される。
【００３６】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。ターゲット部９５は、一対のファスニングテープ９０がそれぞれ止着するように構成されている。吸収体４０の幅方向の外側には、脚回り開口部３５の周囲に形成され、前後方向Ｌに伸縮可能なレッグ伸縮部７５が備えられる。
【００３７】
（２）吸収体の構成
次いで、吸収体４０の構成について詳細に説明する。吸収体４０は、図５及び図６に示すように、展開状態において１枚のシート状である。吸収体４０は、前後方向に延びる一対の第１折り線ＦＬ１と、前後方向に延びる一対の第２折り線ＦＬ２と、を有する。一対の第１折り線ＦＬ１及び一対の第２折り線ＦＬ２は、吸収体を折り畳むための折り線であり、吸収体を折り畳んだ状態で形成される。吸収体４０は、一対の第１折り線ＦＬ１と一対の第２折り線ＦＬ２とによって４か所で折られており、複数層に積層されている。一対の第１折り線ＦＬ１同士、一対の第２折り線ＦＬ２同士、及び第１折り線ＦＬ１と第２折り線ＦＬ２は、それぞれ幅方向において離間している。図５に示すように、吸収体４０の展開状態（第１折り線ＦＬ１及び第２折り線ＦＬ２によって折り畳まれていない状態）において、第２折り線ＦＬ２は、第１折り線ＦＬ１よりも幅方向の外側に位置する。図２及び３に示すように、吸収体の折り畳み状態（第１折り線ＦＬ１及び第２折り線ＦＬ２によって折り畳まれた状態）において、第２折り線ＦＬ２は、第１折り線ＦＬ１よりも幅方向の内側に位置する。
【００３８】
吸収体４０は、折り畳み状態において、一対の第１折り線ＦＬ１の間に位置する第１領域４０１と、第１折り線ＦＬ１と第２折り線ＦＬ２との間に位置する一対の第２領域４０２と、第２折り線ＦＬ２よりも幅方向の外側に位置する一対の第３領域４０３と、を有する。図５及び図６に示す展開状態において、第１領域４０１は、吸収体４０の幅方向Ｗの中央を含み、一対の第１折り線ＦＬ１の間の領域である。第２領域４０２は、展開状態において第１領域４０１を挟んで両側に位置し、第１折り線ＦＬ１と第２折り線ＦＬ２の間の領域である。第３領域４０３は、展開状態において第１領域４０１及び一対の第２領域４０２を挟んで両側に位置し、第２折り線ＦＬ２よりも幅方向外側の間の領域である。第１領域４０１、第２領域４０２、及び第３領域４０３は、幅方向Ｗにおいて連続している。第１領域４０１、第２領域４０２、第３領域４０３は、連続する１枚のコアラップ４０ｂによって覆われている。コアラップ４０ｂは、第１領域４０１、第２領域４０２及び第３領域４０３を跨っている。
【００３９】
吸収体４０は、第１折り線ＦＬ１によって着用者に対して谷折りされ、かつ第２折り線ＦＬ２によって着用者に対して山折りされる。吸収体４０が折り畳まれた折り畳み状態で、第１領域４０１の肌対向面側Ｔ１に第２領域４０２が配置され、第２領域４０２の肌対向面側Ｔ１に第３領域４０３が配置されている。第３領域４０３は、少なくとも一部が第２領域４０２の肌対向面側Ｔ１に配置されていればよい。吸収体４０は、第１折り線ＦＬ１及び第２折り線ＦＬ２によって折り畳まれるため、幅方向の寸法がコンパクトになる。
【００４０】
折り畳み状態で一対の第２折り線ＦＬ２は、幅方向Ｗにおいて離間している。第１折り線ＦＬ１と第２折り線ＦＬ２の間は、第１領域４０１、第２領域４０２、及び第３領域４０３が配置される重畳部４５を構成する。重畳部４５は、第１領域４０１、第２領域４０２及び第３領域４０３が積層された部分であり、第１折り線ＦＬ１と第２折り線ＦＬ２の間の部分である。一対の第２折り線ＦＬ２の間には、第１領域４０１のみが配置される。一対の第２折り線ＦＬ２の間は、吸収体４０の厚みが比較的薄く、一対の第２折り線ＦＬ２よりも幅方向の外側の領域と比較して非肌対向面側Ｔ２に凹んでいる。吸収体４０の幅方向Ｗの中央が非肌対向面側Ｔ２に凹んでいるため、着用者と吸収体の間に前後方向に延びる空間を形成できる。当該空間によって体液を前後方向に拡散することができ、吸収体の前後方向の全域にわたって吸収性能を有効活用し易くなる。
【００４１】
また、幅方向Ｗの外側から幅方向Ｗの内側に向かう力がかかった際に第３領域４０３が着用者側に盛り上がるように変形すると、一対の第２折り線ＦＬ２間の空間を挟んで両側には、第３領域４０３による壁を比較的高く設けることができる。よって、体液の横漏れを抑制し、排泄物の漏れをより抑制できる。
【００４２】
第３領域４０３の外側縁は、第１折り線ＦＬ１よりも幅方向Ｗの外側に位置する。第１折り線ＦＬ１よりも幅方向の外側には、第３領域４０３のみが配置される。折り畳み状態の吸収体４０の外側縁４０Ｅは、着用者の脚回りに配置される。吸収体４０の外側縁４０Ｅは、第３領域４０３の外側縁である。折り畳み状態の吸収体４０の外側縁４０Ｅには、第３領域４０３のみが配置され、比較的厚みが薄い。よって、着用者の脚回りにおける違和感を低減できる。
【００４３】
第２領域４０２の吸収材料の目付は、第１領域４０１の吸収材料の目付よりも低く、第３領域４０３の吸収材料の目付よりも低い。具体的には、第１領域４０１は、パルプとＳＡＰを有し、第２領域４０２は、実質的に吸収材料を有しない。第２領域４０２は、設計上のＳＡＰ等の吸収材料の目付が零であるが、製造工程において第１領域等から混入したＳＡＰやパルプを有していてもよい。第１領域４０１のパルプの目付及び第３領域４０３のパルプの目付は、第２領域４０２のパルプの目付よりも高い。また、第２領域４０２は、第１領域４０１等よりも低い目付のパルプを含んでいてもよいし、パルプ及びＳＡＰの両方を含まずにコアラップ４０ｂのみで構成されていてもよく、比較的目付が低く構成されていることにより、第２領域４０２を介して第１領域４０１に体液を円滑に導くことができる。なお、変形例において、第２領域４０２の吸収材料の目付は、第１領域４０１の吸収材料の目付と同じであってもよいし、第３領域４０３の吸収材料の目付と同じであってもよい。
【００４４】
第２領域４０２のパルプの目付が第１領域４０１及び第３領域４０３と比較して低いため、重畳部４５の厚みが厚くなり過ぎることを抑制でき、非肌対向面側Ｔ２に位置する第１領域４０１に体液を導き易くなる。また、第２領域４０２のパルプの目付よりも第１領域４０１のパルプの目付が高いため、第２領域４０２から第１領域４０１に体液が移行し易くなり、非肌対向面側Ｔ２に位置する第１領域４０１に体液を導き易くなる。第１折り線ＦＬ１及び第２折り線ＦＬ２には、パルプの目付の違いによる剛性差が形成される。よって、第１折り線ＦＬ１及び第２折り線ＦＬ２を基点に吸収体４０をより折り畳み易くなる。
【００４５】
第２領域４０２の厚みは、第１領域４０１の厚みよりも薄く、第３領域４０３の厚みよりも薄い。第１折り線ＦＬ１及び第２折り線ＦＬ２は、吸収体４０の厚み及び目付が変化する境界であり、剛性が変化する境界となる。よって、第１折り線ＦＬ１及び第２折り線ＦＬ２を基点に吸収体４０を折り畳み易い。
【００４６】
トップシート５０は、一対の第２折り線ＦＬ２間に位置する第１領域４０１の肌対向面側Ｔ１と、第３領域４０３の肌対向面側Ｔ１と、に跨って配置されている。トップシート５０が第１領域４０１と第３領域４０３に跨って配置されているため、重畳部４５に幅方向内側に向かう力がかかった際に重畳部４５が幅方向内側に移動し難くなり、吸収体４０の変形を効果的に抑制できる。すなわち、第１領域４０１の肌対向面側Ｔ１から幅方向に延びるトップシートは、第１領域４０１と第２領域４０２の間に延出せずに、第３領域４０３の肌対向面側Ｔ１に延びる。重畳部４５において、トップシート５０は、第１領域４０１と第２領域４０２の間、及び第２領域４０２と第３領域４０３の間に配置されていない。吸収体の折り構造を維持することができる。第１領域４０１、第２領域４０２及び第３領域４０３の３つの領域で排泄物を効率よく吸収し、排泄物の漏れを抑制できる。
【００４７】
（３）吸収体同士の接合態様及び吸収体と非肌面シートの接合態様
次いで、吸収体同士の接合態様及び吸収体と非肌面シートの接合態様について説明する。使い捨ておむつ１０には、吸収体４０が折り畳まれた折り畳み状態において、第１接合部Ｒ１と、第２非接合部ＮＲ２と、第３接合部Ｒ３と、第３非接合部ＮＲ３と、第４接合部Ｒ４と、が設けられている。また、使い捨ておむつ１０には、吸収性物品が着用された着用状態で、第２非接合部ＮＲ２が設けられている（図７参照）。各接合部は、ホットメルト型接着剤等の接着剤が配置された領域である。非接合部は、ホットメルト型接着剤等の接着剤が配置されていない領域、又は接合部よりも接着力が弱くなるように接着剤が配置された領域である。第１接合部Ｒ１、第２非接合部ＮＲ２、第３接合部Ｒ３、第３非接合部ＮＲ３、及び第４接合部Ｒ４を有することにより、着用時の使い捨ておむつ１０の意図しない変形を抑制し、排泄物の漏れを抑制できる。図７は、使い捨ておむつの着用状態を模式的に示した断面図である。使い捨ておむつ１０は、着用者に装着されると、着用者の両足によって挟まれる。使い捨ておむつ１０には、幅方向の外側から幅方向の内側に向かう力がかかる。このとき、第３領域４０３の外側縁が第１折り線よりも幅方向の外側に位置するため、幅方向の外側から幅方向の内側に向かう力は、第３領域４０３の外側縁にかかる。第３領域４０３は、変形することによって幅方向の外側から幅方向の内側に向かう力を吸収する。よって、第１領域４０１が当該力によって変形することを防ぐことができる。
【００４８】
第１接合部Ｒ１は、第１領域４０１の肌対向面と第２領域４０２の非肌対向面とが接合された部分である。図２及び図３に、第１接合部Ｒ１の幅方向の範囲を示す。第１接合部Ｒ１は、第１領域４０１の肌対向面と第２領域４０２の非肌対向面とが対向した全面に設けられていてもよいし、当該対向した面の一部に設けられていてもよい。第１接合部Ｒ１が設けられていることにより、使い捨ておむつ１０に対して幅方向の外側から幅方向の内側に向かって力がかかった際に、第１領域４０１と第２領域４０２の位置がずれることを抑制し、第１折り線ＦＬ１による折り構造が維持され易い。よって、第１領域４０１の意図しない変形及び吸収体全体が幅入りすることを防ぐことができ、着用者の股下に対して一定の幅で吸収体４０を配置できる。一定の幅を有する吸収体４０によって排泄物を吸収でき、排泄物の漏れを抑制できる。
【００４９】
第２非接合部ＮＲ２は、着用状態において、第２領域４０２の肌対向面と第３領域４０３の非肌対向面とが接合されていない部分である。第２非接合部ＮＲ２は、少なくとも股下域２５において第２領域４０２の肌対向面と第３領域４０３の非肌対向面とが対向した全面に設けられている。第２非接合部ＮＲ２は、使い捨ておむつ１０の前後方向の中心１ＬＣを跨ぎ、かつ股下域２５において前後方向に延びる。本実施の形態の第２非接合部ＮＲ２は、接着剤が配置されていない領域であり、折り畳み状態においても非接合状態である。しかし、第２非接合部ＮＲ２は、折り畳み状態において第２領域４０２の肌対向面と第３領域４０３の非肌対向面とが接合されており、かつ着用されて幅方向の外側から幅方向の内側に向かう力がかかった際に第１接合部よりも先に非接合状態となる構成を含む概念である。着用時に股下域２５において第２領域４０２の肌対向面と第３領域４０３の非肌対向面とが接合されていないため、幅方向の外側から幅方向の内側に向かう力がかかった際に、第１領域４０１と接合された第２領域４０２を基点にして左右の第３領域４０３が着用者側に盛り上がるように変形し、第３領域４０３の非肌対向面側Ｔ２に空間が形成される。第２領域４０２と第３領域４０３の間の空間によって排泄物を保持し、排泄物の漏れを抑制できる。
【００５０】
なお、使い捨ておむつ１０は、後胴回り域３０及び前胴回り域２０において、第２領域４０２の肌対向面と第３領域４０３の非肌対向面が接合された第２接合部を有していてもよい。第２接合部は、第２非接合部よりも前後方向の外側に位置する。後胴回り域３０及び前胴回り域２０に第２接合部が設けられていても、股下域２５において排泄物を収容する空間を設けることができ、排泄物の漏れを防止する効果を得ることができる。
【００５１】
第３接合部Ｒ３は、第３領域４０３と非肌面シートが接合された部分である。より詳細には、第３接合部Ｒ３において、第３領域４０３の非肌対面と非肌面シートとしてのバックシート６０ａの肌対向面とが接合されている。第３領域４０３の前後方向Ｌの範囲は、吸収体４０の前後方向Ｌの全域である。第３接合部Ｒ３の幅方向Ｗの範囲は、第３領域４０３の外側縁から幅方向Ｗの内側に延びる一定の範囲である。第３接合部Ｒ３は、第１折り線ＦＬ１よりも幅方向Ｗの外側に位置し、第１折り線ＦＬ１と離間している。第３接合部Ｒ３よりも幅方向Ｗの内側には、第３非接合部ＮＲ３が設けられている。第３非接合部ＮＲ３は、第３領域４０３と非肌面シートが接合されていない部分である。第３領域４０３は、股下域２５内に配置され、前胴回り域２０及び後胴回り域３０に配置されていない。第３非接合部ＮＲ３は、使い捨ておむつ１０の前後方向の中心１ＬＣを跨ぎ、かつ股下域２５において前後方向Ｌに延びる。第３非接合部ＮＲ３は、第３接合部Ｒ３よりも幅方向Ｗの内側かつ第１折り線ＦＬ１よりも幅方向Ｗの外側である。第１折り線ＦＬ１よりも幅方向の内側の領域では、第１領域４０１とバックシート６０ａは、接合されている。
【００５２】
第３領域４０３とバックシート６０ａは、第３接合部Ｒ３によって接合され、かつ第３非接合部ＮＲ３によって接合されていない。そのため、幅方向Ｗの外側から幅方向Ｗの内側に向かう力がかかった際に、第３接合部Ｒ３を基点にして第３非接合部ＮＲ３に接する吸収体４０が着用者側に盛り上がるように変形し、第３領域４０３、バックシート６０ａ、及び第１領域４０１によって囲まれた空間Ｓ１を少なくとも股下域２５に設けることができる（図７参照）。当該空間Ｓ１によって尿を収容できる。また、当該空間Ｓ１によって前後方向Ｌに尿を拡散でき、吸収体４０の前後方向Ｌの全域で体液を保持できる。そのため、長時間使用された場合であっても、吸収体４０全体で体液を吸収し、体液の漏れを抑制できる。加えて、当該空間Ｓ１によって前後方向Ｌに湿気を拡散でき、蒸れを抑制し、装着感を向上できる。
【００５３】
第３接合部Ｒ３は、弾性部材７７の内側縁に重なる領域に配置される。立体ギャザーが複数の弾性部材を有する構成にあっては、弾性部材７７の内側縁は、最も幅方向の内側に位置する弾性部材の内側縁である。立体ギャザーの弾性部材７７の内側縁は、弾性部材７７の伸縮によって収縮し、着用者側に起立する。弾性部材７７の内側縁に重なる領域の吸収体は、第３接合部Ｒ３によってバックシート６０ａに接合され、変形し難い。よって、立体ギャザーが収縮する際に吸収体４０の形状が維持され易く、立体ギャザーが吸収体４０から着用者側に立ち上がり易くなる。よって、立体ギャザーと吸収体４０との間に排泄物を収容する空間を広く設けることができ、排泄物の漏れを抑制できる。その結果、吸収体４０の折り構造を維持しつつ、排泄物の漏れを効果的に抑制できる。
【００５４】
第３非接合部ＮＲ３の後端縁と使い捨ておむつ１０の前後方向Ｌの中心１ＬＣとの距離Ｌ１は、第３非接合部ＮＲ３の前端縁と使い捨ておむつ１０の前後方向の中心１ＬＣとの距離Ｌ２よりも長い。使い捨ておむつ１０の前後方向Ｌの中心よりも後側において第３非接合部ＮＲ３の長さが比較的長いため、第３非接合部ＮＲ３を介して前側に排泄された尿を後側に体液を拡散することができる。よって、吸収体４０の前後方向Ｌの全域にわたって排泄物を吸収でき、吸収容量を有効活用し、漏れを抑制できる。
【００５５】
第４接合部Ｒ４は、第３領域４０３とバックシート６０ａが接合された部分である。より詳細には、第４接合部Ｒ４において、第３領域４０３の非肌対面と非肌面シートとしてのバックシート６０ａが接合されている。第４接合部Ｒ４は、第３非接合部ＮＲ３よりも前後方向の両外側に位置する。第４接合部Ｒ４の前後方向の範囲は、第３非接合部ＮＲ３の外端縁から吸収体４０の外端縁の間である。第４接合部Ｒ４の幅方向の範囲は、第３接合部Ｒ３の内側縁と第１折り線ＦＬ１とに挟まれた領域である。第３非接合部ＮＲ３よりも前後方向の両外側において第３領域４０３とバックシート６０ａが接合されていることにより、第３領域４０３とバックシート６０ａとの間の空間によって体液を前後方向の全体に拡散しても、当該空間内の体液が吸収体よりも前後方向の外側に漏れ難い。よって、吸収体の前後方向の全域で体液を吸収しつつ、排泄物の漏れを抑制できる。
【００５６】
第３非接合部ＮＲ３よりも前側に位置する第４接合部Ｒ４の前後方向の長さＬ３は、第３非接合部ＮＲ３よりも後側に位置する第４接合部Ｒ４の前後方向の長さＬ４よりも長い。第３非接合部ＮＲ３よりも前側に位置する第４接合部Ｒ４の少なくとも一部は、前胴回り域２０に設けられる。第３非接合部ＮＲ３よりも後側に位置する第４接合部Ｒ４の少なくとも一部は、後胴回り域３０に設けられる。一般的に、尿は、使い捨ておむつ１０の前後方向の中心１ＬＣよりも前側に排泄される。そのため、吸収性物品の前後方向の中心よりも前側における第３非接合部内に尿が溜まり易い。使い捨ておむつ１０の前後方向の中心よりも前側に位置する第４接合部の前後方向の長さが比較的長いため、前側に位置する第３非接合部で体液を保持しつつ、第３非接合部内の尿が吸収体の前端縁から漏れることを抑制できる。
【００５７】
吸収体よりも幅方向の外側及び吸収体よりも前後方向の外側には、肌面シートと非肌面シートが接合された第５接合部Ｒ５が設けられている。第５接合部は、吸収体の前後方向の外端縁と使い捨ておむつ１０の前後方向の外端縁との間の領域、及び吸収体の外側縁と使い捨ておむつ１０の外側縁との間の領域に設けられている。第５接合部Ｒ５が設けられていることにより、吸収体の吸収材料（特に、ＳＡＰ）及び体液が使い捨ておむつ１０の前端縁、後端縁及び外側縁から漏れることを防止できる。
【００５８】
（４）変形例に係る吸収性物品
次いで、図８に基づいて変形例に係る吸収性物品としての使い捨ておむつ１０Ａについて説明する。なお、変形例の説明において実施形態と同様の構成については同符号を用いて説明を省略する。図８は、変形例１に係る使い捨ておむつ１０Ａの幅方向に沿った断面の断面図である。変形例１に係る使い捨ておむつ１０Ａの吸収体４０は、第１領域４０１の外側縁から幅方向Ｗの内側に向かう領域において、第１領域４０１と非肌面シートとしてのバックシート６０ａは、接合されていない。第１領域４０１の幅方向の中央の領域では、第１領域４０１と非肌面シートは、接合されている。
【００５９】
変形例１に係る使い捨ておむつ１０Ａによれば、幅方向Ｗの外側から幅方向の内側に向かう力がかかり、左右の第３領域４０３が着用者側に盛り上がるように変形する際に、第１領域４０１の外側縁も着用者側に盛り上がるように変形し易くなる。よって、第３領域４０３、非肌面シート、及び第２領域４０２によって囲まれた空間Ｓ１をより広く形成できる。当該空間Ｓ１によって排泄物を収容するとともに、当該空間Ｓ１によって排泄物を前後方向に拡散でき、排泄物の漏れを抑制できる。
【００６０】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００６１】
１０、１０Ａ    ：吸収性物品
２０            ：前胴回り域
２５            ：股下域
３０            ：後胴回り域
４０            ：吸収体
４０ａ          ：吸収コア
４０ｂ          ：コアラップ
４０１          ：第１領域
４０２          ：第２領域
４０３          ：第３領域
５０            ：トップシート
６０            ：外装シート
６０ａ          ：バックシート
Ｌ              ：前後方向
Ｔ              ：厚み方向
Ｗ              ：幅方向
ＦＬ１          ：第１折り線
ＦＬ２          ：第２折り線
Ｒ１            ：第１接合部
ＮＲ２          ：第２非接合部
Ｒ３            ：第３接合部
ＮＲ３          ：第３非接合部
Ｒ４            ：第４接合部
Ｒ５            ：第５接合部
【図１】
2017164353.tif 000003
【図２】
2017164353.tif 000004
【図３】
2017164353.tif 000005
【図４】
2017164353.tif 000006
【図５】
2017164353.tif 000007
【図６】
2017164353.tif 000008
【図７】
2017164353.tif 000009
【図８】
2017164353.tif 000010